(57)【要約】【課題】大画面モニタを準備することなく、解像度の高い２枚の画像を表示することができ、複数の画像からプリント注文するベストショット画像の選択を容易にする。【解決手段】パソコン１により３つのＬＣＤ１００、２００、３００を個別に表示制御する。パソコン１は、顧客別のフォルダに格納された複数の画像のうちから２枚の画像を個別に選択し、ＬＣＤ１００の左右の画像表示領域に並べて表示させるとともに、複数の画像のサムネイル画像の一覧をＬＣＤ１００に表示させる。また、パソコン１は、ＬＣＤ１００の左右の画像表示領域に表示された２枚の画像を、それぞれＬＣＤ２００及び３００に全画面表示させ、これにより解像度の高い２枚の画像を表示させる。そして、２枚の画像を対比して良い方の画像を残し、他方の画像の表示を更新しながらプリント注文するベストショット画像の選択を可能にしている。【選択図】      図１
2005050276.tif 000002
【特許請求の範囲】
【請求項１】
第１、第２及び第３の画像表示手段と、
複数の画像を記憶する記憶手段と、
前記記憶手段に記憶されている複数の画像から前記第１の画像表示手段に表示させる２枚の画像を個別に選択する表示画像選択指示手段と、
前記表示画像選択指示手段での操作に基づいて選択された２枚の画像を、前記第１の画像表示手段の表示画面上の第１及び第２の画像表示領域に並べて表示させるとともに、前記第１の画像表示領域に表示された画像を前記第２の画像表示手段の表示画面に全画面表示させ、前記第２の画像表示領域に表示された画像を前記第３の画像表示手段の表示画面に全画面表示させる表示制御手段と、
前記第２及び第３の画像表示手段に表示された画像を参照して最終的にプリント注文する画像を選択するプリント画像選択指示手段と、
を備えたことを特徴とするプリント画像選択装置。
【請求項２】
前記第２及び第３の画像表示手段は、それぞれ横位置と縦位置との間で回転可能に構成されていることを特徴とする請求項１に記載のプリント画像選択装置。
【請求項３】
前記表示制御手段は、前記記憶手段に記憶されている複数の画像の縮小画像を、前記第１の画像表示手段の画像リスト領域に表示させることを特徴とする請求項１又は２に記載のプリント画像選択装置。
【請求項４】
前記表示制御手段は、前記記憶手段に記憶されている複数の画像の縮小画像のうち、前記プリント画像選択指示手段によって選択されていない画像の縮小画像を、前記第１の画像表示手段の撮影画像リスト領域に表示させるとともに、前記プリント画像選択指示手段によって選択された画像の縮小画像を、前記第１の画像表示手段のプリント候補画像リスト領域に表示させることを特徴とする請求項１又は２に記載のプリント画像選択装置。
【請求項５】
前記第２及び第３の画像表示手段に同時に表示させる画像の枚数を設定する画像枚数設定手段を有し、前記表示画像選択指示手段は、前記記憶手段に記憶されている複数の画像から前記画像枚数設定手段によって設定された枚数の画像を個別に選択し、前記表示制御手段は、前記表示画像選択指示手段での操作に基づいて選択された枚数の画像を、前記第１の画像表示手段の表示画面上の第１及び第２の画像表示領域に表示させるとともに、前記第１の画像表示領域に表示された画像を前記第２の画像表示手段の表示画面に表示させ、前記第２の画像表示領域に表示された画像を前記第３の画像表示手段の表示画面に表示させることを特徴とする請求項１に記載のプリント画像選択装置。
【請求項６】
複数の画像が記憶されている記憶媒体から適宜の画像を読み出して第１、第２及び第３の画像表示手段に表示させ、該第１、第２、及び第３の画像表示手段に表示された画像を見ながらプリント注文する画像を選択するプリント画像選択方法であって、
(a) 前記記憶手段に記憶されている複数の画像から選択指示された２枚の画像を読み出し、該２枚の画像を前記第１の画像表示手段の表示画面上の第１及び第２の画像表示領域に並べて表示させるとともに、前記第１の画像表示領域に表示された画像を前記第２の画像表示手段の表示画面に全画面表示させ、前記第２の画像表示領域に表示された画像を前記第３の画像表示手段の表示画面に全画面表示させるステップと、
(b) 前記第１の画像表示手段に表示させる２枚の画像を個別に選択指示するステップであって、２枚の画像を比較して良い方の画像の表示を残し、他方の画像の表示を更新するように画像の選択指示を行うステップと、
(c) 前記第２及び第３の画像表示手段に表示された画像を参照して最終的にプリント注文する画像を選択するステップと、
を含むことを特徴とするプリント画像選択方法。
【請求項７】
前記複数の画像は、ポーズ、衣装、背景、撮影条件のうちの少なくとも１つを変えた複数のポートレート画像を含むことを特徴とする請求項６に記載のプリント画像選択方法。
【発明の詳細な説明】
【技術分野】
【０００１】
本発明はプリント画像選択装置及び方法に係り、特に写真館や撮影スタジオ等でデジタル撮影された複数の画像からプリントする画像を選択するのに好適なプリント画像選択装置及び方法に関する。
【背景技術】
【０００２】
従来、写真館や撮影スタジオ等の写真撮影所では、写真撮影所のデジタルカメラでデジタル撮影が行われると、撮影終了後に直ちにデジタル撮影によって得られた画像を写真館内のディスプレイに表示させ、写真プリントする画像を顧客に選択して貰うためのプレゼンテーションが行われる。
【０００３】
従来、複数の画像から予め設定したコマ数の画像を読み出し、これらの画像を含むベストショット決定画面をＰＣモニタ上に表示するとともに、顧客が選択しやすくするようにベストショット決定画面を大画面モニタにも表示するようにした写真撮影受付装置が提案されている（引用文献１）。尚、ＰＣモニタは、写真館のオペレータが操作するためのＧＵＩ（Graphical User Interface）としても使用される。
【０００４】
上記ＰＣモニタ及び大画面モニタに、複数の画像を含むベストショット決定画面を表示することにより複数の画像を見くらべることができ、同様なシーンの中のベストショット画像を容易に選択することができる。
【特許文献１】特開２００３−３７７９８号公報
【発明の開示】
【発明が解決しようとする課題】
【０００５】
しかしながら、特許文献１に記載の写真撮影受付装置は、ＰＣモニタの他に、顧客がベストショット決定画面中に表示された複数の画像から良い画像を容易に選択できるように、解像度の高い画像を表示するための大画面モニタを準備する必要がある。また、ＰＣモニタは、ＧＵＩとしても使用されるため、顧客が見るだけの大画面モニタにも画像以外のソフトボタンや各種の情報が表示され、見苦しいという問題がある。
【０００６】
本発明はこのような事情に鑑みてなされたもので、複数の画像のうちから２枚の画像を個別に選択して表示することができ、これにより２枚の画像を見くらべながら良い方の画像を選択することができ、特に大画面モニタを準備することなく、解像度の高い２枚の画像を表示することができ、プリント注文するベストショット画像の選択が容易なプリント画像選択装置及び方法を提供することを目的とする。
【課題を解決するための手段】
【０００７】
前記目的を達成するために請求項１に係るプリント画像選択装置は、第１、第２及び第３の画像表示手段と、複数の画像を記憶する記憶手段と、前記記憶手段に記憶されている複数の画像から前記第１の画像表示手段に表示させる２枚の画像を個別に選択する表示画像選択指示手段と、前記表示画像選択指示手段での操作に基づいて選択された２枚の画像を、前記第１の画像表示手段の表示画面上の第１及び第２の画像表示領域に並べて表示させるとともに、前記第１の画像表示領域に表示された画像を前記第２の画像表示手段の表示画面に全画面表示させ、前記第２の画像表示領域に表示された画像を前記第３の画像表示手段の表示画面に全画面表示させる表示制御手段と、前記第２及び第３の画像表示手段に表示された画像を参照して最終的にプリント注文する画像を選択するプリント画像選択指示手段と、を備えたことを特徴としている。
【０００８】
即ち、本発明は、３つのモニタ（第１、第２及び第３の画像表示手段）を個別に表示制御するようにしている。第１の画像表示手段には、その表示画面上の第１及び第２の画像表示領域に２枚の画像を並べて表示させるとともに、第２及び第３の画像表示手段には、それぞれ第１の画像表示手段の第１及び第２の画像表示領域に表示された画像を、それぞれ全画面表示させるようにしている。このように、第２及び第３の画像表示手段に２枚の画像を別々に全画面表示させることで、大画面モニタを準備することなく、解像度の高い２枚の画像を表示させることができる。そして、２枚の画像を対比して良い方の画像を残し、他方の画像の表示を更新しながらプリント注文するベストショット画像を選択できるようにしている。
【０００９】
請求項２に示すように、請求項１に記載のプリント画像選択装置において、前記第２及び第３の画像表示手段は、それぞれ横位置と縦位置との間で回転可能に構成されていることを特徴としている。これにより、前記第２及び第３の画像表示手段に出力する画像の回転操作が不要となるとともに、前記第２及び第３の画像表示手段の表示画面を最大限に活用することができる。
【００１０】
請求項３に示すように、請求項１又は２に記載のプリント画像選択装置において、前記表示制御手段は、前記記憶手段に記憶されている複数の画像の縮小画像を、前記第１の画像表示手段の画像リスト領域に表示させることを特徴としている。
【００１１】
請求項４に示すように、請求項１又は２に記載のプリント画像選択装置において、前記表示制御手段は、前記記憶手段に記憶されている複数の画像の縮小画像のうち、前記プリント画像選択指示手段によって選択されていない画像の縮小画像を、前記第１の画像表示手段の撮影画像リスト領域に表示させるとともに、前記プリント画像選択指示手段によって選択された画像の縮小画像を、前記第１の画像表示手段のプリント候補画像リスト領域に表示させることを特徴としている。
【００１２】
請求項５に示すように、請求項１に記載のプリント画像選択装置において、前記第２及び第３の画像表示手段に同時に表示させる画像の枚数を設定する画像枚数設定手段を有し、前記表示画像選択指示手段は、前記記憶手段に記憶されている複数の画像から前記画像枚数設定手段によって設定された枚数の画像を個別に選択し、前記表示制御手段は、前記表示画像選択指示手段での操作に基づいて選択された枚数の画像を、前記第１の画像表示手段の表示画面上の第１及び第２の画像表示領域に表示させるとともに、前記第１の画像表示領域に表示された画像を前記第２の画像表示手段の表示画面に表示させ、前記第２の画像表示領域に表示された画像を前記第３の画像表示手段の表示画面に表示させることを特徴としている。前記画像枚数設定手段は、前記第１、第２の画像表示手段に表示させる画像の枚数として２枚、４枚、８枚等の枚数を設定する。２枚の場合には、前記第１、第２の画像表示手段にはそれぞれ１枚ずつ画像が表示され、４枚の場合には、前記第１、第２の画像表示手段にはそれぞれ２枚ずつ画像（即ち、２分割画面で画像）が表示され、８枚の場合には、前記第１、第２の画像表示手段にはそれぞれ４枚ずつ画像（即ち、４分割画面で画像）が表示される。これにより、多くの画像のプレゼンテーションを迅速に行うことができる。
【００１３】
請求項６に係る発明は、複数の画像が記憶されている記憶媒体から適宜の画像を読み出して第１、第２及び第３の画像表示手段に表示させ、該第１、第２、及び第３の画像表示手段に表示された画像を見ながらプリント注文する画像を選択するプリント画像選択方法であって、
(a) 前記記憶手段に記憶されている複数の画像から選択指示された２枚の画像を読み出し、該２枚の画像を前記第１の画像表示手段の表示画面上の第１及び第２の画像表示領域に並べて表示させるとともに、前記第１の画像表示領域に表示された画像を前記第２の画像表示手段の表示画面に全画面表示させ、前記第２の画像表示領域に表示された画像を前記第３の画像表示手段の表示画面に全画面表示させるステップと、
(b) 前記第１の画像表示手段に表示させる２枚の画像を個別に選択指示するステップであって、２枚の画像を比較して良い方の画像の表示を残し、他方の画像の表示を更新するように画像の選択指示を行うステップと、
(c) 前記第２及び第３の画像表示手段に表示された画像を参照して最終的にプリント注文する画像を選択するステップと、
を含むことを特徴としている。
【００１４】
請求項７に示すように、請求項６に記載のプリント画像選択方法において、前記複数の画像は、ポーズ、衣装、背景、撮影条件のうちの少なくとも１つを変えた複数のポートレート画像を含むことを特徴としている。
【発明の効果】
【００１５】
本発明によれば、複数の画像から選択した２枚の画像を、第１の画像表示手段の表示画面上の第１及び第２の画像表示領域に並べて表示させることができるとともに、この２枚の画像を個別に選択して表示させることができるため、例えば、ポーズ等が異なる同種の複数の画像のうちからベストショット画像を選択する場合、２枚の画像を見くらべながら良い方の画像を残すように表示する画像を更新させることで、プリント注文用のベストショット画像を容易に選択することができる。また、第１の画像表示手段の第１及び第２の画像表示領域に表示された画像を、第２及び第３の画像表示手段にそれぞれ全画面表示させることができ、これにより２枚の画像を比較する際に解像度の高い画像で比較検討することができる。
【発明を実施するための最良の形態】
【００１６】
以下添付図面に従って本発明に係るプリント画像選択装置及び方法の好ましい実施の形態について説明する。
【００１７】
図１は本発明に係るプリント画像選択装置の全体構成を示す図である。
【００１８】
同図（Ａ）に示すように、このプリント画像選択装置は、主としてパソコン１と、このパソコン１に接続された３台の液晶ディスプレイ（ＬＣＤ）１００、２００、３００とから構成されている。
【００１９】
ＬＣＤ１００、２００、３００は、それぞれ図１（Ｂ）に示すように±９０度回転できるようになっている。
【００２０】
図２は上記パソコン１のハードウェア構成例を示すブロック図である。
【００２１】
同図に示すようにパソコン１は、主として各構成要素の動作を制御する中央処理装置（ＣＰＵ）１０と、装置の制御プログラムが格納されたり、プログラム実行時の作業領域となる主メモリ１２と、パソコン１のオペレーティングシステム（ＯＳ）、パソコン１に接続された周辺機器のデバイスドライバ、本発明に係るプリント画像選択処理用のプログラムを含む各種のアプリケーションソフト、顧客の画像等が格納されるハードディスク装置１４と、ＣＤ−ＲＯＭドライブ１６と、３つのＬＣＤ１００、２００、３００の表示制御が可能なグラフィックボード１８と、キーボード３０のキー操作を検出して指示入力としてＣＰＵ１０に出力するキーボードコントローラ２０と、位置入力装置としてのマウス４０の状態を検出してＬＣＤ１００上のマウスポインタの位置やマウス４０の状態等の信号をＣＰＵ１０に出力するマウスコントローラ２２と、デジタルカメラ５０と接続して画像データ等の入力が可能なＩＥＥＥ１３９４、ＵＳＢなどのインターフェース２４と、上記各構成要素を接続するバス２６とから構成されている。
【００２２】
尚、上記構成のパソコン１は、ハードディスク装置１４に格納されている、本発明に係るプリント画像選択処理用のプログラムを除いて周知のものであるため、各構成要素の詳細な説明については省略する。また、３つのモニタを同時に表示制御可能なグラフィックボードとしては、例えば、Matrox Millennium P750 (商品名) を使用する。
【００２３】
デジタルカメラ５０は、写真館、撮影スタジオ、イベント会場等に設置されるもので、このデジタルカメラ５０を使用して写真撮影を希望する顧客の撮影が行われる。顧客を撮影する際には、ポーズ、アングル、ズーム倍率等を変え、あるいは衣装や背景、照明等の撮影条件を変えて多数枚の撮影が行われる。
【００２４】
このデジタルカメラ５０は、パソコン１に接続されており、顧客を撮影する毎にインターフェース２４を介してパソコン１に画像を転送し、各画像はハードディスク装置１４内に作成された顧客別のフォルダに格納される。尚、顧客の画像をハードディスク装置１４に格納する方法は、この実施の形態に限らず、例えば撮影終了後にパソコン１からデジタルカメラ５０にアクセスしてメモリカードに記録された画像を取り込むようにしてもよい。
【００２５】
次に、プリント画像選択処理用のプログラムを起動し、顧客の画像が格納されたフォルダを指定してフォルダ内の複数枚の画像からプリント注文するベストショット画像を選択する方法について説明する。
【００２６】
図３はプリント画像選択処理用のプログラムを起動させたときのＬＣＤ１００の表示画面の一例を示しており、顧客のフォルダが指定され、そのフォルダ内の複数の画像（図３上では、７枚の画像）のうちの、２枚の画像が既にプリント候補画像として選択されている状態に関して示している。
【００２７】
同図に示すＬＣＤ１００の表示画面は、主としてプリント画像選択時のＧＵＩとして使用されるもので、ＬＣＤ２００に表示する左大画面を操作するための操作ボックス１１０と、ＬＣＤ３００に表示する右大画面を操作するための操作ボックス１２０と、撮影画像リスト領域１３０と、プリント候補画像リスト領域１４０と、左右の操作ボックス１１０、１２０での表示モードの設定やプリント注文する画像を確定させるボタン等が配置された操作ボックス１５０とを有している。
【００２８】
左側の操作ボックス１１０には、ＬＣＤ２００に表示する画像と同じ画像が表示される画像表示領域１１２や、この画像表示領域１１２に表示される画像を操作するための各種のソフトボタン等が設けられている。
【００２９】
ソフトボタンとしては、画像表示領域１１２に表示されている画像を、−９０度又は＋９０度回転させる「画像回転」ボタン、順方向又は逆方向にコマ送りするための「←」ボタン、「→」ボタン、表示されている画像をプリント候補として選択するための「プリント候補」ボタン、プリント候補として選択されている画像の候補を解除する「候補の解除」ボタン、撮影画像リスト領域１３０やプリント候補画像リスト領域１４０に表示されている縮小画像（サムネイル画像）のうちの特定の画像が指定されているときに、そのマウス指定された画像を画像表示領域１１２に表示させ、又は指定画像No. の表示部に１〜１２までの数値が入力されているときに、その数値指定された画像を画像表示領域１１２に表示させるための「指定画像表示」ボタンが設けされている。尚、画像表示領域１１２に表示されている画像の画像No. を表示する表示部も設けられている。
【００３０】
また、右側の操作ボックス１２２にもＬＣＤ３００に表示する画像と同じ画像が表示される画像表示領域１２２や、この画像表示領域１２２に表示される画像を操作するための各種のソフトボタン等が設けられている。
【００３１】
撮影画像リスト領域１３０には、顧客の複数の画像のサムネイル画像のうちのプリント候補として選択されていないサムネイル画像が表示され、一方、プリント候補画像リスト領域１４０には、顧客の複数の画像のサムネイル画像のうちのプリント候補として選択されたサムネイル画像が表示される。
【００３２】
尚、各サムネイル画像には、画像No. が付加されている。また、撮影画像リスト領域１３０及びプリント候補画像リスト領域１４０に一度に表示可能なサムネイル画像の枚数は１２枚であるが、顧客の画像が１２枚よりも多い場合には、図示しないスクロールバー等を使用してサムネイル画像の一覧をスクロールさせるようにしてもよい。
【００３３】
操作ボックス１５０の表示モード設定部１５２には、左右の操作ボックス１１０、１２０での表示モードを設定するための「連続画像」ボタン及び「指定画像」ボタンが設けられている。「連続画像」ボタンと「指定画像」ボタンは、それぞれ操作ボックス１１０、１２０での表示モードを連続画像表示モード又は指定画像表示モードにするもので、「連続画像」ボタンが押されると（マウスによってクリックされると）、連続画像表示モードになり、「指定画像」ボタンが押されると、指定画像表示モードになる。
【００３４】
「連続画像」ボタンが押されて連続画像表示モードになると、左右の操作ボックス１１０、１２０における順方向又は逆方向にコマ送りするための「←」ボタン、「→」ボタンでの操作が有効になる。また、表示モード設定部１５２内の連続画像表示モードの詳細設定部１５４には、「撮影画像リスト」ボタン、「プリント候補画像リスト」ボタン、「全画像」ボタン、及びチェックボックスが設けられている。
【００３５】
詳細設定部１５４内の「撮影画像リスト」ボタンが押されると、撮影画像リスト領域１３０に一覧表示されているサムネイル画像の範囲内でのコマ送りが可能となり、「プリント候補画像リスト」ボタンが押されると、プリント画像リスト領域１４０に一覧表示されているサムネイル画像の範囲内でのコマ送りが可能となり、「全画像」ボタンが押されると、撮影画像リスト領域１３０及びプリント候補画像リスト領域１４０に表示されている全てのサムネイル画像の範囲内（即ち、現在取り込まれている顧客の全画像の範囲内）でのコマ送りが可能になる。
【００３６】
尚、連続画像表示モードの詳細設定部１５４のチェックボックスにチェックを入れると、コマ送り用の「←」ボタン、「→」ボタンの操作により相手画像と同じ画像が選択される場合には、その画像を飛ばして次の画像が選択される。例えば、図３に示すように左右の操作ボックス１１０、１２０の画像表示領域１１２、１２２にそれぞれ画像No. ２及び画像No. ３の画像が表示されている状態で、左側の操作ボックス１１０において順方向にコマ送りする「←」ボタンが押されると、画像No. ３の画像を飛ばして画像No. ４の画像が表示される。これは、左右の画像表示領域１１２、１２２に同じ画像を表示して比較する必要がないからである。
【００３７】
一方、表示モード設定部１５２内の指定画像表示モードの詳細設定部１５６には、マウスによる画像の指定を有効にするチェックボックスと、画像No. の数値入力による画像の指定を有効にするチェックボックスとが設けられている。２つのチェックボックスには、個別にチェックを入れることができ、図３に示すように２つのチェックボックスにチェックが入っている場合には、マウスによる画像の指定及び画像No. の数値入力による画像の指定の両方が有効になる。
【００３８】
更に、操作ボックス１５０には、「候補画像の確定」ボタン、「画面クリア（次オーダーへ）」ボタン、及び「作業終了」ボタンが設けられている。
【００３９】
次に、顧客の複数枚の画像からプリント注文するベストショット画像を選択する操作手順等について説明する。
【００４０】
まず、顧客別のフォルダを指定すると、そのフォルダ内の全ての画像のサムネイル画像が撮影画像リスト領域１３０に一覧表示される。
【００４１】
続いて、操作ボックス１５０の表示モード設定部１５２内の「連続画像」ボタン又は「指定画像」ボタンを押して画像表示モードとして連続画像表示モード又は指定画像表示モードのいずれかを選択する。尚、デフォルトは、連続画像表示モードになっている。
【００４２】
ここで、画像表示モードとして連続画像表示モードが設定されている場合には、左右の操作ボックス１１０、１２０内のコマ送り用の「←」ボタン、「→」ボタンを押すことにより顧客の複数の画像を画像No. の順番にコマ送りし、左右の画像表示領域１１２、１２２にそれぞれコマ送りによって選択した画像を表示させる。
【００４３】
左右の画像表示領域１１２、１２２に表示された画像（即ち、コマ送り操作によって選択された２枚の画像）は、図１に示すようにそれぞれ左大画面用のＬＣＤ２００及び右大画面用のＬＣＤ３００の表示画面に全画面表示される。これにより、２枚の画像は、それぞれ解像度の高い大画面で表示される。
【００４４】
ＬＣＤ２００、３００は、顧客にプリント画像を選択して貰うためのプレゼンテーション用の画像表示手段であり、２枚の画像をそれぞれ大画面（ＬＣＤ２００、３００の全画面）で表示する。これらのＬＣＤ２００、３００は、図１に示すように表示する画像が縦位置の画像か横位置の画像かに応じて手動で回転させられる。通常、撮影スタジオ等におけるポートレート撮影は、デジタルカメラ５０を縦位置にして撮影する場合が多く、この実施の形態では、ＬＣＤ２００、３００の画面が縦長になるように回転させられている。  
【００４５】
尚、この実施の形態では、ＬＣＤ２００、３００の画面を縦位置の画像か横位置の画像かに応じて手動で回転させるようにしたが、これに限らず、ＬＣＤ２００、３００の画面を縦長の位置で固定し、横位置の画像の場合には、横位置の画像が縦長の画面内で最大となるように表示するようにしてもよいし、また、ＬＣＤ２００、３００の画面を横長の位置で固定し、縦位置の画像の場合には、縦位置の画像が横長の画面内で最大となるように表示するようにしてもよい。ただし、前者の場合には、縦長の画面の上下に余白部分が生じ、後者の場合には、横長の画面の左右に余白部分が生じる。
【００４６】
また、ＬＣＤ２００、３００の画面を手動で回転させる場合に限らず、縦位置の画像か横位置の画像かに応じて電動で回転させるようにしてもよい。この場合、左右の操作ボックス１１０、１２０における「画像回転」ボタンでの回転指示入力に基づいてＬＣＤ２００、３００の画面を電動で回転させることができる。
【００４７】
顧客は、左右のＬＣＤ２００、３００に表示された画像のうち、どちらの画像が良いかを写真館のオペレータに知らせる。オペレータは、良い方の画像を残し、他方の画像の表示を更新するように操作ボックス１１０又は１２０を操作する。この操作を繰り返すことにより、例えば、類似する複数枚の画像のうちからプリント用のベストショット画像（プリント画像）を容易に選択することができる。
【００４８】
このようにして所望の画像が選択されると、その画像が表示されている操作ボックス１１０又は１２０内の「プリント候補」ボタンを押す。「プリント候補」が押されると、選択された画像のサムネイル画像は、撮影画像リスト領域１３０からプリント候補画像リスト領域１４０に移動させられる。尚、撮影画像リスト領域１３０及びプリント候補画像リスト領域１４０に表示されるサムネイル画像の表示位置は、それぞれ画像No. に対応して一対一で決められており、これにより何番目の画像がプリント候補画像として選択されたかが視覚的に分かりやすくなっている。
【００４９】
尚、操作ボックス１１０又は１２０にプリント候補画像が表示されている状態で、その操作ボックス内の「候補の解除」ボタンが押されると、プリント候補画像としての指定が解除され、プリント候補画像リスト領域１４０に表示されていたサムネイル画像は、撮影画像リスト領域１３０に戻される。
【００５０】
プリント候補画像として選択された画像（プリント候補画像リスト領域１４０に表示されているサムネイル画像）を最終的にプリント画像として確定させる場合には、操作ボックス１５０内の「候補画像の確定」ボタンを押す。これにより、顧客別のフォルダ内に格納されている複数の画像のうちの前記プリント候補画像として選択された画像は、プリントスプール先にコピーされて保存される。また、顧客別のフォルダ内の画像もプリント確定画像は、ファイル名先頭に識別情報「Ｍ」を付けてリネーム保存される。
【００５１】
尚、この実施の形態では、ＬＣＤ２００、３００にそれぞれ１枚の画像を全画面表示するようにしたが、これに限らず、ＬＣＤ２００、３００に同時に表示する画像の枚数として、２枚、４枚、８枚等の枚数を設定する画像枚数設定手段を設け、この画像枚数設定手段で設定した枚数の画像を表示させるようにしてもよい。例えば、２枚の画像を設定した場合には、この実施の形態のようにＬＣＤ２００、３００にそれぞれ１枚の画像を全画面で表示し、４枚の画像を設定した場合には、ＬＣＤ２００、３００にそれぞれ２枚の画像を２分割画面で表示し、８枚の画像を設定した場合には、ＬＣＤ２００、３００にそれぞれ４枚の画像を４分割画面で表示するようにする。尚、上記画像枚数設定手段によって表示する画像の枚数を設定した場合には、ＬＣＤ１００の左右の操作ボックス１１０、１２０の画像表示領域１１２、１２２に表示可能な画像数も２枚、４枚、８枚等の枚数の表示が可能となり、ここで表示する各画像の選択も可能になることは言うまでもない。
【００５２】
また、ＬＣＤ２００の画面を縦長になるように回転させ、一方、ＬＣＤ３００の画面を横長になるように回転させておき、例えば、２枚の横位置の画像を表示する場合には、ＬＣＤ２００の縦長の画面を上下に２分割した２分割画面で表示し、２枚の縦位置の画像を表示する場合には、ＬＣＤ３００の横長の画面を左右に２分割した２分割画面で表示するようにしてもよい。同様に、４枚の縦位置の画像を表示する場合には、ＬＣＤ２００の縦長の画面を上下左右に４分割した４分割画面で表示し、４枚の横位置の画像を表示する場合には、ＬＣＤ３００の横長の画面を上下左右に４分割した４分割画面で表示するようにしてもよい。
【図面の簡単な説明】
【００５３】
【図１】本発明に係るプリント画像選択装置の全体構成を示す図
【図２】図１に示したパソコンのハードウェア構成例を示すブロック図
【図３】図１に示した画像選択操作用のＬＣＤの表示画面の一例を示す図
【符号の説明】
【００５４】
１…パソコン、１０…中央処理装置（ＣＰＵ）、１２…主メモリ、１４…ハードディスク装置、１８…グラフィックボード、２０…キーボードコントローラ、２２…マウスコントローラ、２４…インターフェース、３０…キーボード、４０…マウス、５０…デジタルカメラ、１００、２００、３００…液晶ディスプレイ（ＬＣＤ）
【図１】
2005050276.tif 000003
【図２】
2005050276.tif 000004
【図３】
2005050276.tif 000005